(57)【要約】【課題】使用性を向上できる電気掃除機を提供する。【解決手段】本体部２内に配される電動送風機６と、被掃除面に対向する吸気口を有して本体部２に接続される吸込口体５と、吸込口体５の接地を検知する接地検知スイッチ１１と、掃除運転の開始及び終了を指示する操作部１４とを備え、掃除運転を開始すると吸込口体５が接地しているときに所定の出力で電動送風機６を駆動するとともに、吸込口体５が接地していないときに電動送風機６を一時停止して吸込口体５の接地により復帰する一時停止モードを設け、一時停止モード時に吸込口体５を本体部２に対して取り外した際に掃除運転を終了した。【選択図】図４
2012061115.tif 000002
【特許請求の範囲】
【請求項１】
本体部内に配される電動送風機と、被掃除面に対向する吸気口を有して前記本体部に接続される吸込口体と、前記吸込口体の接地を検知する接地検知スイッチと、掃除運転の開始及び終了を指示する操作部とを備え、掃除運転を開始すると前記吸込口体が接地しているときに所定の出力で前記電動送風機を駆動するとともに、前記吸込口体が接地していないときに前記電動送風機を一時停止して前記吸込口体の接地により復帰する一時停止モードを設け、前記一時停止モード時に前記吸込口体を前記本体部に対して取り外した際に掃除運転を終了することを特徴とする電気掃除機。
【請求項２】
前記接地検知スイッチが前記吸込口体に設けられるとともに前記接地検知スイッチと前記本体部に設けた制御部とを接続する電極を有し、前記吸込口体が接地しているときに前記電極に第１の電流が流れ、前記吸込口体が接地していないときに前記電極に第１の電流よりも小さい第２の電流が流れることを特徴とする請求項１に記載の電気掃除機。
【請求項３】
前記吸気口に配される回転ブラシと、前記回転ブラシを駆動するブラシモータと、前記ブラシモータと並列に接続されるとともに前記ブラシモータよりも抵抗値の大きい抵抗とを備え、前記接地検知スイッチは前記ブラシモータ及び前記抵抗に択一的に接続され、前記吸込口体が接地しているときに前記ブラシモータに接続されるとともに前記吸込口体が接地していないときに前記抵抗に接続されることを特徴とする請求項２に記載の電気掃除機。
【請求項４】
前記一時停止モードに移行した後、所定時間が経過する前に前記吸込口体を前記本体部に対して取り外した場合に、前記一時停止モードを解除して前記電動送風機を駆動したことを特徴とする請求項１〜請求項３のいずれかに記載の電気掃除機。
【請求項５】
掃除運転を開始して前記吸込口体が接地しているときに前記吸込口体を前記本体部に対して取り外した場合及び前記吸込口体を前記本体部に対して取り外した後に掃除運転を開始した場合に、前記所定の出力よりも低い出力で前記電動送風機が駆動されることを特徴とする請求項１〜請求項４のいずれかに記載の電気掃除機。
【請求項６】
前記一時停止モードが所定時間継続した際に掃除運転を終了したことを特徴とする請求項１〜請求項５のいずれかに記載の電気掃除機。
【発明の詳細な説明】
【技術分野】
【０００１】
本発明は、吸込口体を被掃除面から離した際に電動送風機を一時停止する電気掃除機に関する。
【背景技術】
【０００２】
従来の電気掃除機は特許文献１に開示されている。この電気掃除機は本体部内に制御部及び電動送風機が配される。制御部は電動送風機を含む各部を制御する。本体部には可撓性の接続ホース及び延長パイプを介して吸込口体が接続される。吸込口体は被掃除面に対向する吸気口が開口し、被掃除面への接地を検知する接地検知スイッチが設けられる。また、制御部と接地検知スイッチとを電気的に接続する電極が接続ホース及び延長パイプに設けられる。
【０００３】
掃除運転を開始すると電動送風機が所定の出力で駆動され、被掃除面の塵埃が吸気口から吸い込まれる。塵埃を含む気流は吸込口体、延長パイプ及び接続ホースを介して本体部内に集塵され、塵埃を除去された気流が本体部から排気される。これにより、被掃除面の掃除を行うことができる。
【０００４】
電気掃除機には掃除運転中に吸込口体を被掃除面から離すと電動送風機を一時停止する一時停止モードが設けられる。一時停止モードから吸込口体を被掃除面に接地すると復帰して電動送風機が駆動される。これにより、省電力化を図ることができる。
【０００５】
また、掃除運転中に吸込口体または延長パイプを取り外すと、机上等の清掃を行うことができる。この時、吸込口体または延長パイプの装着状態を検知し、机上等に適した出力で電動送風機が駆動される。これにより、電気掃除機の利便性を向上することができる。
【先行技術文献】
【特許文献】
【０００６】
【特許文献１】特開２０１０−６３５７３号公報（第５頁−第７頁、第１図）
【発明の概要】
【発明が解決しようとする課題】
【０００７】
しかしながら、上記従来の電気掃除機によると、一時停止モードに移行すると電動送風機が停止されるため使用者は掃除運転が終了していると誤認識する場合がある。この時、電気掃除機の収納のために吸込口体や延長パイプを取り外すと、使用者の意図に反して電動送風機が駆動される。このため、使用者の違和感が生じ、電気掃除機の使用性が悪い問題があった。
【０００８】
本発明は、使用性を向上できる電気掃除機を提供することを目的とする。
【課題を解決するための手段】
【０００９】
上記目的を達成するために本発明は、本体部内に配される電動送風機と、被掃除面に対向する吸気口を有して前記本体部に接続される吸込口体と、前記吸込口体の接地を検知する接地検知スイッチと、掃除運転の開始及び終了を指示する操作部とを備え、掃除運転を開始すると前記吸込口体が接地しているときに所定の出力で前記電動送風機を駆動するとともに、前記吸込口体が接地していないときに前記電動送風機を一時停止して前記吸込口体の接地により復帰する一時停止モードを設け、前記一時停止モード時に前記吸込口体を前記本体部に対して取り外した際に掃除運転を終了することを特徴としている。
【００１０】
この構成によると、操作部により掃除運転の開始を指示して吸込口体が接地されたことを接地検知スイッチにより検知すると、電動送風機が所定の出力で駆動される。これにより、被掃除面の掃除が行われる。操作部により掃除運転の終了が指示されると電動送風機を停止して掃除運転が終了する。これにより、操作部の指示があるまで掃除運転が開始されない。掃除運転中に吸込口体を被掃除面から離したことを接地検知スイッチにより検知すると、電動送風機を停止して一時停止モードに移行する。一時停止モード時に吸込口体が接地されると電動送風機が所定の出力で再度駆動される。また、一時停止モード時に吸込口体を本体部に対して取り外すと掃除運転が終了する。
【００１１】
また本発明は、上記構成の電気掃除機において、前記接地検知スイッチが前記吸込口体に設けられるとともに前記接地検知スイッチと前記本体部に設けた制御部とを接続する電極を有し、前記吸込口体が接地しているときに前記電極に第１の電流が流れ、前記吸込口体が接地していないときに前記電極に第１の電流よりも小さい第２の電流が流れることを特徴としている。
【００１２】
この構成によると、制御部は第１の電流が電極に流れたことを検出すると吸込口体が接地していると判断し、電動送風機を駆動する。また、制御部は掃除運転中に第２の電流が電極に流れたことを検出すると吸込口体が接地していないと判断し、電動送風機を停止する。
【００１３】
また本発明は、上記構成の電気掃除機において、前記吸気口に配される回転ブラシと、前記回転ブラシを駆動するブラシモータと、前記ブラシモータと並列に接続されるとともに前記ブラシモータよりも抵抗値の大きい抵抗とを備え、前記接地検知スイッチは前記ブラシモータ及び前記抵抗に択一的に接続され、前記吸込口体が接地しているときに前記ブラシモータに接続されるとともに前記吸込口体が接地していないときに前記抵抗に接続されることを特徴としている。
【００１４】
この構成によると、吸込口体が被掃除面に接地されると接地検知スイッチがブラシモータに接続され、ブラシモータの抵抗値に応じた第１の電流が電極に流れる。吸込口体が被掃除面から離れると接地検知スイッチが抵抗に接続され、抵抗の抵抗値に応じて第１の電流よりも小さい第２の電流が電極に流れる。
【００１５】
また本発明は、上記構成の電気掃除機において、前記一時停止モードに移行した後、所定時間が経過する前に前記吸込口体を前記本体部に対して取り外した場合に、前記一時停止モードを解除して前記電動送風機を駆動したことを特徴としている。この構成によると、一時停止モードに移行して所定時間が経過する前に吸込口体が本体部に対して取り外されると、掃除運転の終了を回避して電動送風機が駆動される。
【００１６】
また本発明は、上記構成の電気掃除機において、掃除運転を開始して前記吸込口体が接地しているときに前記吸込口体を前記本体部に対して取り外した場合及び前記吸込口体を前記本体部に対して取り外した後に掃除運転を開始した場合に、前記所定の出力よりも低い出力で前記電動送風機が駆動されることを特徴としている。この構成によると、一時停止モードに移行する前に吸込口体が本体部に対して取り外されると、低い出力で電動送風機を駆動して机上等の清掃が行われる。
【００１７】
また本発明は、上記構成の電気掃除機において、前記一時停止モードが所定時間継続した際に掃除運転を終了したことを特徴としている。
【発明の効果】
【００１８】
本発明によると、吸込口体が被掃除面から離れたときに電動送風機を一時停止して吸込口体の接地により復帰する一時停止モードを備え、一時停止モード時に吸込口体を本体部に対して取り外した際に掃除運転を終了する。これにより、一時停止モードに移行した際に使用者が掃除運転の終了と誤認識して電気掃除機の収納のために吸込口体を取り外した場合に、電動送風機の停止状態が維持される。従って、使用者の違和感を防止し、電気掃除機の使用性を向上することができる。
【図面の簡単な説明】
【００１９】
【図１】本発明の実施形態の電気掃除機を示す斜視図
【図２】本発明の実施形態の電気掃除機を示すブロック図
【図３】本発明の実施形態の電気掃除機の吸込口体の回路図
【図４】本発明の実施形態の電気掃除機の動作を示すフローチャート
【発明を実施するための形態】
【００２０】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２１】
本体部２の前面には可撓性の接続ホース３が接続され、接続ホース３の先端には延長パイプ４が接続される。延長パイプ４の先端には床面に対峙する吸気口（不図示）を有した吸込口体５が設けられる。また、延長パイプ４にはパイプ把持部１３及び操作部１４が設けられる。使用者により操作部１４を操作して掃除運転の開始及び終了が指示され、パイプ把持部１３を把持して吸込口体５が移動される。
【００２２】
図２は電気掃除機１のブロック図を示している。電気掃除機１は各部を制御する制御部１０を本体部２内に備えている。制御部１０には電動送風機６、ブラシモータ７、接地検知スイッチ１１、操作部１４、表示部１５が接続される。ブラシモータ７は吸気口に配された回転ブラシ（不図示）を駆動する。接地検知スイッチ１１は吸込口体５の下面に配され、吸込口体５の接地を検知する。表示部１５は操作部１４に設けられたＬＥＤから成り、掃除運転の動作状態を表示する。
【００２３】
図３は吸込口体５部分の回路図を示している。吸込口体５には端子５ａ、５ｂが設けられる。端子５ａ、５ｂは延長パイプ４及び接続ホース３内に配される電極２１、２２を介して制御部１０に接続される。端子５ａ、５ｂ間にはブラシモータ７及び抵抗１２が並列に接続される。抵抗１２はブラシモータ７よりも抵抗値が大きくなっている。
【００２４】
接地検知スイッチ１１はブラシモータ７及び抵抗１２の一端に択一的に接続される。即ち、接地検知スイッチ１１は吸込口体５を接地するとブラシモータ７に接続され、吸込口体５が被掃除面から離れると抵抗１２に接続される。
【００２５】
接地検知スイッチ１１がブラシモータ７に接続されるとブラシモータ７の抵抗値に応じた第１の電流が電極２１、２２に流れる。接地検知スイッチ１１が抵抗１２に接続されると抵抗１２の抵抗値に応じて第１の電流よりも小さい第２の電流が電極２１、２２に流れる。これにより、制御部１０は第１、第２の電流を検知し、吸込口体５の接地状態を検出することができる。
【００２６】
また、吸込口体５が延長パイプ４から取り外されると、電極２１、２２間が開放されるため電極２１、２２に電流が流れない。これにより、制御部１０は吸込口体５の装着状態を検知することができる。尚、延長パイプ４を接続ホース３から取り外した場合や、接続ホース３を本体部２から取り外した場合も同様に電極２１、２２に電流が流れない。これにより、吸込口体５の本体部２に対する装着状態を検出することができる。
【００２７】
図４は上記構成の電気掃除機１の掃除運転の動作を示すフローチャートを示している。操作部１４によって掃除運転の開始が指示されると、ステップ＃１１で吸込口体５の接地状態を示すフラグＦが初期化される。フラグＦは初期状態及び吸込口体５の接地状態で０が代入され、吸込口体５の非接地状態で１が代入される。
【００２８】
ステップ＃１２では吸込口体５が本体部２に対して装着されているか否かが判断される。吸込口体５が吸込口体５が本体部２に対して装着されている場合はステップ＃１３に移行する。ステップ＃１３では吸込口体５が接地されているか否かが判断される。吸込口体５が接地されている場合はステップ＃２５に移行し、フラグＦに０が代入される。
【００２９】
ステップ＃２６では電動送風機６が所定の出力で駆動され、ブラシモータ７を駆動して回転ブラシが回転する。この時、表示部１５によって通常の運転を示す表示（例えば、緑色点灯）が行われる。そして、ステップ＃１２に戻る。電動送風機６の駆動によって被掃除面の塵埃が吸気口から吸い込まれる。塵埃を含む気流は吸込口体５、延長パイプ４及び接続ホース３を介して本体部２内に集塵され、塵埃を除去された気流が本体部２から排気される。これにより、被掃除面の掃除を行うことができる。
【００３０】
ステップ＃１３の判断で吸込口体５が接地されていない場合はステップ＃１４に移行する。ステップ＃１４ではフラグＦが１か否かが判断される。フラグＦが０の場合はステップ＃２１に移行する。ステップ＃２１ではフラグＦに吸込口体５が被掃除面から離れていることを示す１が代入される。
【００３１】
ステップ＃２２では電動送風機６及びブラシモータ７を一時停止した一時停止モードに移行する。この時、表示部１５によって一時停止モードを示す表示（例えば、赤色点灯）が行われる。そして、ステップ＃１２に戻る。一時停止モードは吸込口体５の接地によりステップ＃１３の判断でステップ＃２５、＃２６の動作を行うことによって元の状態に復帰する。
【００３２】
ステップ＃１４の判断でフラグＦが１の場合は既に一時停止モードに移行している。ステップ＃１５では一時停止モードに移行してから所定時間（例えば、２分）が経過したか否かが判断される。一時停止モードに移行してから所定時間が経過していない場合はステップ＃１２に戻る。一時停止モードに移行してから所定時間が経過している場合は、電動送風機６を停止するとともに表示部１５を消灯して掃除運転を終了する。
【００３３】
ステップ＃１２の判断で吸込口体５が本体部２に装着されていない場合、即ち、吸込口体５が本体部２に対して取り外されている場合はステップ＃３１に移行する。ステップ＃３１ではフラグＦが１か否かが判断される。
【００３４】
フラグＦが０の場合はステップ＃３３に移行する。即ち、掃除運転中に吸込口体５を接地状態で本体部２に対して取り外した場合や、吸込口体５を本体部２に対して取り外した後に掃除運転を開始した場合にステップ＃３３に移行する。ステップ＃３３では電動送風機６が前述のステップ＃２６よりも低い出力で駆動され、ステップ＃１２に戻る。これにより、机上等の清掃を低出力で掃除して省電力化を図ることができる。
【００３５】
ステップ＃３１でフラグＦが１の場合はステップ＃３２に移行する。ステップ＃３２では一時停止モードに移行してから所定時間（例えば、５秒）が経過したか否かが判断される。一時停止モードに移行してから所定時間が経過している場合は、電動送風機６を停止するとともに表示部１５を消灯して掃除運転を終了する。これにより、一時停止モードで使用者が掃除運転の終了と誤認識して電気掃除機１の収納のために吸込口体５を取り外した場合に、電動送風機６の停止状態が維持される。
【００３６】
ステップ＃３２で一時停止モードに移行してから所定時間が経過していない場合はステップ＃３３に移行する。そして、ステップ＃３３で電動送風機６が前述のステップ＃２６よりも低い出力で駆動され、ステップ＃１２に戻る。これにより、一時停止モードが解除され、掃除運転の終了が回避される。
【００３７】
このため、吸込口体５を装着した状態での掃除に続けて電動送風機６を停止させずに吸込口体５を取り外した状態で掃除を行うことができる。即ち、一時停止モードに移行してから吸込口体５が本体部２に対して取り外されるまでの経過時間によって掃除運転を継続するか終了するかを選択することになる。従って、使用者の意図通りに運転することができ、より快適に掃除を行うことができる。
【００３８】
本実施形態によると、吸込口体５が被掃除面から離れたときに電動送風機６を一時停止して吸込口体５の接地により復帰する一時停止モードを備え、一時停止モード時に吸込口体５を本体部２に対して取り外した際に掃除運転を終了する。これにより、一時停止モードに移行した際に使用者が掃除運転の終了と誤認識して電気掃除機１の収納のために吸込口体６を取り外した場合に、電動送風機６の停止状態が維持される。従って、使用者の違和感を防止し、電気掃除機１の使用性を向上することができる。
【００３９】
また、吸込口体５が接地しているときに電極２１、２２に第１の電流が流れ、吸込口体５が接地していないときに電極２１、２２に第１の電流よりも小さい第２の電流が流れるので、吸込口体５の接地状態を容易に検出することができる。また、吸込口体５が被掃除面から離れて掃除が行われない時に第２の電流が小さいので省電力化を図ることができる。
【００４０】
また、接地検知スイッチ１１は吸込口体５が接地しているときにブラシモータ７に接続され、吸込口体５が接地していないときにブラシモータ７よりも抵抗値の大きい抵抗１２に接続される。従って、簡単な構成で電極２１、２２に第１、第２の電流を流すことができ、吸込口体５の接地状態を容易に検出することができる。
【００４１】
また、一時停止モードに移行した後、所定時間が経過する前に吸込口体５を本体部２に対して取り外した場合に一時停止モードを解除するので、電動送風機６を停止させずに吸込口体５の接地状態から継続して机上等の清掃を行うことができる。従って、使用者の意図通りに運転することができ、より快適に掃除を行うことができる。
【００４２】
また、掃除運転を開始して吸込口体５が接地しているときに吸込口体５を本体部２に対して取り外した場合及び吸込口体５を本体部２に対して取り外した後に掃除運転を開始した場合に、低い出力で電動送風機６を駆動するので、机上等の清掃を低出力で掃除して省電力化を図ることができる。
【００４３】
また、一時停止モードが所定時間継続した際に掃除運転を終了したので、より省電力化を図ることができる。
【００４４】
本実施形態において、電気掃除機１が電動送風機６を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００４５】
本発明によると、キャニスター型及び縦型の電気掃除機に利用することができる。
【符号の説明】
【００４６】
１    電気掃除機
２    本体部
３    接続ホース
４    延長パイプ
５    吸込口体
６    電動送風機
７    ブラシモータ
１０    制御部
１１    接地検知スイッチ
１２    抵抗
１３    把持部
１４    操作部
１５    表示部
２１、２２  電極
【図１】
2012061115.tif 000003
【図２】
2012061115.tif 000004
【図３】
2012061115.tif 000005
【図４】
2012061115.tif 000006
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
本体部内に配される電動送風機と、被掃除面に対応する吸気口を有して前記本体部に接続される吸込口体と、前記吸込口体の接地を検知する接地検知スイッチと、掃除運転の開始及び終了を指示する操作部とを備え、
前記接地検知スイッチが前記吸込口体に設けられるとともに前記接地検知スイッチと前記本体部に設けた制御部とを接続する電極を有し、
掃除運転を開始すると前記吸込口体が接地しているときに所定の出力で前記電動送風機を駆動し、前記電極に第１の電流が流れるとともに、前記吸込口体が接地していないときに前記電動送風機を一時停止して前記吸込口体の接地により復帰する一時停止モードを設けて前記電極に第１の電流よりも小さい第２の電流が流れ、前記一時停止モード時に前記吸込口体を前記本体部に対して取り外した際に掃除運転を終了することを特徴とする電気掃除機。
【請求項２】
前記吸気口に配される回転ブラシと、前記回転ブラシを駆動するブラシモータと、前記ブラシモータと並列に接続されるとともに前記ブラシモータよりも抵抗値の大きい抵抗とを備え、前記接地検知スイッチは前記ブラシモータ及び前記抵抗に択一的に接続され、前記吸込口体が接地しているときに前記ブラシモータに接続されるとともに前記吸込口体が接地していないときに前記抵抗に接続されることを特徴とする請求項１に記載の電気掃除機。
【請求項３】
本体部内に配される電動送風機と、被掃除面に対応する吸気口を有して前記本体部に接続される吸込口体と、前記吸込口体の接地を検知する接地検知スイッチと、掃除運転の開始及び終了を指示する操作部とを備え、
掃除運転を開始すると前記吸込口体が接地しているときに所定の出力で前記電動送風機を駆動するとともに、前記吸込口体が接地していないときに前記電動送風機を一時停止して前記吸込口体の接地により復帰する一時停止モードを設け、前記一時停止モード時に前記吸込口体を前記本体部に対して取り外した際に掃除運転を終了し、
前記一時停止モードに移行した後、所定時間が経過する前に前記吸込口体を前記本体部に対して取り外した場合に、前記一時停止モードを解除して前記電動送風機を駆動したことを特徴とする電気掃除機。
【請求項４】
本体部内に配される電動送風機と、被掃除面に対応する吸気口を有して前記本体部に接続される吸込口体と、前記吸込口体の接地を検知する接地検知スイッチと、掃除運転の開始及び終了を指示する操作部とを備え、
掃除運転を開始すると前記吸込口体が接地しているときに所定の出力で前記電動送風機を駆動するとともに、前記吸込口体が接地していないときに前記電動送風機を一時停止して前記吸込口体の接地により復帰する一時停止モードを設け、前記一時停止モード時に前記吸込口体を前記本体部に対して取り外した際に掃除運転を終了し、
掃除運転を開始して前記吸込口体が接地しているときに前記吸込口体を前記本体部に対して取り外した場合及び前記吸込口体を前記本体部に対して取り外した後に掃除運転を開始した場合に、前記所定の出力よりも低い出力で前記電動送風機が駆動されることを特徴とする電気掃除機。
【請求項５】
本体部内に配される電動送風機と、被掃除面に対応する吸気口を有して前記本体部に接続される吸込口体と、前記吸込口体の接地を検知する接地検知スイッチと、掃除運転の開始及び終了を指示する操作部とを備え、
掃除運転を開始すると前記吸込口体が接地しているときに所定の出力で前記電動送風機を駆動するとともに、前記吸込口体が接地していないときに前記電動送風機を一時停止して前記吸込口体の接地により復帰する一時停止モードを設け、前記一時停止モード時に前記吸込口体を前記本体部に対して取り外した際に掃除運転を終了し、
前記一時停止モードが所定時間継続した際に掃除運転を終了したことを特徴とする電気掃除機。
【手続補正２】
【補正対象書類名】明細書
【補正対象項目名】００２８
【補正方法】変更
【補正の内容】
【００２８】
ステップ＃１２では吸込口体５が本体部２に対して装着されているか否かが判断される。吸込口体５が本体部２に対して装着されている場合はステップ＃１３に移行する。ステップ＃１３では吸込口体５が接地されているか否かが判断される。吸込口体５が接地されている場合はステップ＃２５に移行し、フラグＦに０が代入される。